(57)【要約】【課題】モバイルマルチメディア放送を受信する機能を有する小型の携帯通信機を提供する。【解決手段】長さ１５０ｍｍ以下で直径１０ｍｍ以下の棒状アンテナと、ＶＨＦ帯の信号を通過させるローパスフィルタと、ＵＨＦ帯の信号を通過させるハイパスフィルタと、前記棒状アンテナの電気長を補正する電気長補正回路と、前記棒状アンテナとＶＨＦ受信回路との間でインピーダンスを整合させる第１整合回路と、前記棒状アンテナとＵＨＦ受信回路との間でインピーダンスを整合させる第２整合回路と、を備え、前記棒状アンテナの給電点に、前記ローパスフィルタ及び前記ハイパスフィルタを並列に接続し、前記ローパスフィルタの後段に、前記電気長補正回路及び前記第１整合回路を順に直列に接続し、前記ハイパスフィルタの後段に、前記第２整合回路を接続したことを特徴とする。【選択図】図６
2010226579.tif 000002
【特許請求の範囲】
【請求項１】
長さ１５０ｍｍ以下で直径１０ｍｍ以下の棒状アンテナと、
ＶＨＦ帯の信号を通過させるローパスフィルタと、
ＵＨＦ帯の信号を通過させるハイパスフィルタと、
前記棒状アンテナの電気長を補正する電気長補正回路と、
前記棒状アンテナとＶＨＦ受信回路との間でインピーダンスを整合させる第１整合回路と、
前記棒状アンテナとＵＨＦ受信回路との間でインピーダンスを整合させる第２整合回路と、を備え、
前記棒状アンテナの給電点に、前記ローパスフィルタ及び前記ハイパスフィルタを並列に接続し、
前記ローパスフィルタの後段に、前記電気長補正回路及び前記第１整合回路を順に直列に接続し、
前記ハイパスフィルタの後段に、前記第２整合回路を接続したことを特徴とする多周波受信システム。
【請求項２】
長さ１５０ｍｍ以下で直径１０ｍｍ以下の棒状アンテナと、
複数の周波数帯域で前記棒状アンテナと受信機とのインピーダンスを整合させる整合回路と、
ＶＨＦ帯の信号を通過させるローパスフィルタと、
ＵＨＦ帯の信号を通過させるハイパスフィルタと、
前記棒状アンテナの電気長を補正する電気長補正回路と、を備え、
前記棒状アンテナの給電点に、前記整合回路を接続し、
前記整合回路の後段に、前記電気長補正回路及び前記ローパスフィルタを順に直列に接続し、
さらに、前記整合回路の後段に、前記ハイパスフィルタを接続したことを特徴とする多周波受信システム。
【請求項３】
長さ１５０ｍｍ以下で直径１０ｍｍ以下の棒状導体の途中に、ＵＨＦ帯でチョークコイルとして働くコイルを備えた棒状アンテナと、
ＶＨＦ帯の信号を通過させるローパスフィルタと、
ＵＨＦ帯の信号を通過させるハイパスフィルタと、
前記棒状アンテナの電気長を補正する電気長補正回路と、
前記棒状アンテナとＶＨＦ受信回路との間でインピーダンスを整合させる第１整合回路と、
前記棒状アンテナとＵＨＦ受信回路との間でインピーダンスを整合させる第２整合回路と、を備え、
前記棒状アンテナの給電点に、前記ローパスフィルタ及び前記ハイパスフィルタを並列に接続し、
前記ローパスフィルタの後段に、前記電気長補正回路及び前記第１整合回路を順に直列に接続し、
前記ハイパスフィルタの後段に、前記第２整合回路を接続したことを特徴とする多周波受信システム。
【請求項４】
長さ１５０ｍｍ以下で直径１０ｍｍ以下の棒状導体の途中に、ＵＨＦ帯でチョークコイルとして働くコイルを備えた棒状アンテナと、
複数の周波数帯域で前記棒状アンテナと受信機とのインピーダンスを整合させる整合回路と、
ＶＨＦ帯の信号を通過させるローパスフィルタと、
ＵＨＦ帯の信号を通過させるハイパスフィルタと、
前記棒状アンテナの電気長を補正する電気長補正回路と、を備え、
前記棒状アンテナの給電点に、前記整合回路を接続し、
前記整合回路の後段に、前記電気長補正回路及び前記ローパスフィルタを順に直列に接続し、
さらに、前記整合回路の後段に、前記ハイパスフィルタを接続したことを特徴とする多周波受信システム。
【請求項５】
長さ１５０ｍｍ以下で直径２０ｍｍ以下の大きさに導体を螺旋状に形成したヘリカルアンテナと、
ＶＨＦ帯の信号を通過させるローパスフィルタと、
ＵＨＦ帯の信号を通過させるハイパスフィルタと、
前記ヘリカルアンテナの電気長を補正する電気長補正回路と、
前記ヘリカルアンテナとＶＨＦ受信回路との間でインピーダンスを整合させる第１整合回路と、
前記ヘリカルアンテナとＵＨＦ受信回路との間でインピーダンスを整合させる第２整合回路と、を備え、
前記ヘリカルアンテナの給電点に、前記ローパスフィルタ及び前記ハイパスフィルタを並列に接続し、
前記ローパスフィルタの後段に、前記電気長補正回路及び前記第１整合回路を直接に接続し、
前記ハイパスフィルタの後段に、前記第２整合回路を接続したことを特徴とする多周波受信システム。
【請求項６】
長さ１５０ｍｍ以下で直径２０ｍｍ以下の大きさに導体を螺旋状に形成したヘリカルアンテナと、
複数の周波数帯域で前記棒状アンテナと受信機とのインピーダンスを整合させる整合回路と、
ＶＨＦ帯の信号を通過させるローパスフィルタと、
ＵＨＦ帯の信号を通過させるハイパスフィルタと、
前記ヘリカルアンテナの電気長を補正する電気長補正回路と、を備え、
前記ヘリカルアンテナの給電点に、前記整合回路を接続し、
前記整合回路の後段に、前記電気長補正回路及び前記ローパスフィルタを順に直列に接続し、
さらに、前記整合回路の後段に、前記ハイパスフィルタを接続したことを特徴とする多周波受信システム。
【請求項７】
筐体に内蔵された導電体によって形成された平衡型アンテナと、
ＶＨＦ帯の信号を通過させるローパスフィルタと、
ＵＨＦ帯の信号を通過させるハイパスフィルタと、
前記平衡型アンテナの電気長を補正する電気長補正回路と、
前記平衡型アンテナとＶＨＦ受信回路との間でインピーダンスを整合させる第１整合回路と、
前記平衡型アンテナとＵＨＦ受信回路との間でインピーダンスを整合させる第２整合回路と、を備え、
前記平衡型アンテナの給電点に、前記ローパスフィルタ及び前記ハイパスフィルタを並列に接続し、
前記ローパスフィルタの後段に、前記電気長補正回路及び前記第１整合回路を順に直列に接続し、
前記ハイパスフィルタの後段に、前記第２整合回路を接続したことを特徴とする多周波受信システム。
【請求項８】
筐体に内蔵された導電体によって形成された平衡型アンテナと、
複数の周波数帯域で前記棒状アンテナと受信機とのインピーダンスを整合させる整合回路と、
ＶＨＦ帯の信号を通過させるローパスフィルタと、
ＵＨＦ帯の信号を通過させるハイパスフィルタと、
前記平衡型アンテナの電気長を補正する電気長補正回路と、を備え、
前記平衡型アンテナの給電点に、前記整合回路を接続し、
前記整合回路の後段に、前記電気長補正回路及び前記ローパスフィルタを順に直列に接続し、
さらに、前記整合回路の後段に、前記ハイパスフィルタを接続したことを特徴とする多周波受信システム。
【請求項９】
誘電体基板上にパターンが形成された内蔵アンテナと、
ＶＨＦ帯の信号を通過させるローパスフィルタと、
ＵＨＦ帯の信号を通過させるハイパスフィルタと、
前記内蔵アンテナの電気長を補正する電気長補正回路と、
前記内蔵アンテナとＶＨＦ受信回路との間でインピーダンスを整合させる第１整合回路と、
前記内蔵アンテナとＵＨＦ受信回路との間でインピーダンスを整合させる第２整合回路と、を備え、
前記内蔵アンテナの給電点に、前記ローパスフィルタ及び前記ハイパスフィルタを並列に接続し、
前記ローパスフィルタの後段に、前記電気長補正回路及び前記第１整合回路を順に直列に接続し、
前記ハイパスフィルタの後段に、前記第２整合回路を接続したことを特徴とする多周波受信システム。
【請求項１０】
誘電体基板上にパターンが形成された内蔵アンテナと、
複数の周波数帯域で前記棒状アンテナと受信機とのインピーダンスを整合させる整合回路と、
ＶＨＦ帯の信号を通過させるローパスフィルタと、
ＵＨＦ帯の信号を通過させるハイパスフィルタと、
前記内蔵アンテナの電気長を補正する電気長補正回路と、を備え、
前記内蔵アンテナの給電点に、前記整合回路を接続し、
前記整合回路の後段に、前記電気長補正回路及び前記ローパスフィルタを順に直列に接続し、
さらに、前記整合回路の後段に、前記ハイパスフィルタを接続したことを特徴とする多周波受信システム。
【発明の詳細な説明】
【技術分野】
【０００１】
本発明は、複数周波数の信号を受信する多周波受信システムに関し、特に、複数の通信波、放送波を受信する携帯通信機に関する。
【背景技術】
【０００２】
現在、携帯電話機は、通信帯域の信号を用いた無線送受信機の他、ワンセグデジタル放送の受信機、ＧＰＳ衛星からの電波を受信するＧＰＳ受信機、他の機器と通信をするためのブルートゥース送受信機等の複数の無線機（受信機）を備えている。このため、各システムに対応するアンテナ、すなわち、携帯電話用内蔵アンテナ、ワンセグ用ホイップアンテナ、ＧＰＳ受信用内蔵アンテナ、ブルートゥース用内蔵アンテナ等、既に多くのアンテナが携帯電話機に搭載されている。
【発明の概要】
【発明が解決しようとする課題】
【０００３】
現在、ＶＨＦ帯の周波数（２０７．５〜２２２ＭＨｚ）を用いた、移動体向けのモバイルマルチメディア放送のサービスの開始が予定されている。しかし、携帯電話機には既に複数のアンテナが搭載されていることから、モバイルマルチメディア放送受信用のアンテナを搭載するための場所的な余裕がない。このため、モバイルマルチメディア放送の受信用アンテナを搭載するためには、携帯電話機を大きくしたり、他の機能を削除する必要がある。
【０００４】
また、複数のアンテナを近接して配置すると、アンテナ間で干渉が生じ、アンテナの特性が低下することがある。
【０００５】
本発明は、携帯電話機の大きさを変えないで、且つ、各種機能を削除することなく、新たにモバイルマルチメディア放送を受信する機能を有する携帯通信機を提供することを目的とする。
【課題を解決するための手段】
【０００６】
第１の発明は、長さ１５０ｍｍ以下で直径１０ｍｍ以下の棒状アンテナと、ＶＨＦ帯の信号を通過させるローパスフィルタと、ＵＨＦ帯の信号を通過させるハイパスフィルタと、前記棒状アンテナの電気長を補正する電気長補正回路と、前記棒状アンテナとＶＨＦ受信回路との間でインピーダンスを整合させる第１整合回路と、前記棒状アンテナとＵＨＦ受信回路との間でインピーダンスを整合させる第２整合回路と、を備え、前記棒状アンテナの給電点に、前記ローパスフィルタ及び前記ハイパスフィルタを並列に接続し、前記ローパスフィルタの後段に、前記電気長補正回路及び前記第１整合回路を順に直列に接続し、前記ハイパスフィルタの後段に、前記第２整合回路を接続したことを特徴とする。
【０００７】
第２の発明は、長さ１５０ｍｍ以下で直径１０ｍｍ以下の棒状アンテナと、複数の周波数帯域で前記棒状アンテナと受信機とのインピーダンスを整合させる整合回路と、ＶＨＦ帯の信号を通過させるローパスフィルタと、ＵＨＦ帯の信号を通過させるハイパスフィルタと、前記棒状アンテナの電気長を補正する電気長補正回路と、を備え、前記棒状アンテナの給電点に、前記整合回路を接続し、前記整合回路の後段に、前記電気長補正回路及び前記ローパスフィルタを順に直列に接続し、さらに、前記整合回路の後段に、前記ハイパスフィルタを接続したことを特徴とする。
【０００８】
第３の発明は、長さ１５０ｍｍ以下で直径１０ｍｍ以下の棒状導体の途中に、ＵＨＦ帯でチョークコイルとして働くコイルを備えた棒状アンテナと、ＶＨＦ帯の信号を通過させるローパスフィルタと、ＵＨＦ帯の信号を通過させるハイパスフィルタと、前記棒状アンテナの電気長を補正する電気長補正回路と、前記棒状アンテナとＶＨＦ受信回路との間でインピーダンスを整合させる第１整合回路と、前記棒状アンテナとＵＨＦ受信回路との間でインピーダンスを整合させる第２整合回路と、を備え、前記棒状アンテナの給電点に、前記ローパスフィルタ及び前記ハイパスフィルタを並列に接続し、前記ローパスフィルタの後段に、前記電気長補正回路及び前記第１整合回路を順に直列に接続し、前記ハイパスフィルタの後段に、前記第２整合回路を接続したことを特徴とする。
【０００９】
第４の発明は、長さ１５０ｍｍ以下で直径１０ｍｍ以下の棒状導体の途中に、ＵＨＦ帯でチョークコイルとして働くコイルを備えた棒状アンテナと、複数の周波数帯域で前記棒状アンテナと受信機とのインピーダンスを整合させる整合回路と、ＶＨＦ帯の信号を通過させるローパスフィルタと、ＵＨＦ帯の信号を通過させるハイパスフィルタと、前記棒状アンテナの電気長を補正する電気長補正回路と、を備え、前記棒状アンテナの給電点に、前記整合回路を接続し、前記整合回路の後段に、前記電気長補正回路及び前記ローパスフィルタを順に直列に接続し、さらに、前記整合回路の後段に、前記ハイパスフィルタを接続したことを特徴とする。
【００１０】
第５の発明は、長さ１５０ｍｍ以下で直径２０ｍｍ以下の大きさに導体を螺旋状に形成したヘリカルアンテナと、ＶＨＦ帯の信号を通過させるローパスフィルタと、ＵＨＦ帯の信号を通過させるハイパスフィルタと、前記ヘリカルアンテナの電気長を補正する電気長補正回路と、前記ヘリカルアンテナとＶＨＦ受信回路との間でインピーダンスを整合させる第１整合回路と、前記ヘリカルアンテナとＵＨＦ受信回路との間でインピーダンスを整合させる第２整合回路と、を備え、前記ヘリカルアンテナの給電点に、前記ローパスフィルタ及び前記ハイパスフィルタを並列に接続し、前記ローパスフィルタの後段に、前記電気長補正回路及び前記第１整合回路を直接に接続し、前記ハイパスフィルタの後段に、前記第２整合回路を接続したことを特徴とする。
【００１１】
第６の発明は、長さ１５０ｍｍ以下で直径２０ｍｍ以下の大きさに導体を螺旋状に形成したヘリカルアンテナと、複数の周波数帯域で前記棒状アンテナと受信機とのインピーダンスを整合させる整合回路と、ＶＨＦ帯の信号を通過させるローパスフィルタと、ＵＨＦ帯の信号を通過させるハイパスフィルタと、前記ヘリカルアンテナの電気長を補正する電気長補正回路と、を備え、前記ヘリカルアンテナの給電点に、前記整合回路を接続し、前記整合回路の後段に、前記電気長補正回路及び前記ローパスフィルタを順に直列に接続し、さらに、前記整合回路の後段に、前記ハイパスフィルタを接続したことを特徴とする。
【００１２】
第７の発明は、筐体に内蔵された導電体によって形成された平衡型アンテナと、ＶＨＦ帯の信号を通過させるローパスフィルタと、ＵＨＦ帯の信号を通過させるハイパスフィルタと、前記平衡型アンテナの電気長を補正する電気長補正回路と、前記平衡型アンテナとＶＨＦ受信回路との間でインピーダンスを整合させる第１整合回路と、前記平衡型アンテナとＵＨＦ受信回路との間でインピーダンスを整合させる第２整合回路と、を備え、前記平衡型アンテナの給電点に、前記ローパスフィルタ及び前記ハイパスフィルタを並列に接続し、前記ローパスフィルタの後段に、前記電気長補正回路及び前記第１整合回路を順に直列に接続し、前記ハイパスフィルタの後段に、前記第２整合回路を接続したことを特徴とする。
【００１３】
第８の発明は、筐体に内蔵された導電体によって形成された平衡型アンテナと、複数の周波数帯域で前記棒状アンテナと受信機とのインピーダンスを整合させる整合回路と、ＶＨＦ帯の信号を通過させるローパスフィルタと、ＵＨＦ帯の信号を通過させるハイパスフィルタと、前記平衡型アンテナの電気長を補正する電気長補正回路と、を備え、前記平衡型アンテナの給電点に、前記整合回路を接続し、前記整合回路の後段に、前記電気長補正回路及び前記ローパスフィルタを順に直列に接続し、さらに、前記整合回路の後段に、前記ハイパスフィルタを接続したことを特徴とする。
【００１４】
第９の発明は、誘電体基板上にパターンが形成された内蔵アンテナと、ＶＨＦ帯の信号を通過させるローパスフィルタと、ＵＨＦ帯の信号を通過させるハイパスフィルタと、前記内蔵アンテナの電気長を補正する電気長補正回路と、前記内蔵アンテナとＶＨＦ受信回路との間でインピーダンスを整合させる第１整合回路と、前記内蔵アンテナとＵＨＦ受信回路との間でインピーダンスを整合させる第２整合回路と、を備え、前記内蔵アンテナの給電点に、前記ローパスフィルタ及び前記ハイパスフィルタを並列に接続し、前記ローパスフィルタの後段に、前記電気長補正回路及び前記第１整合回路を順に直列に接続し、前記ハイパスフィルタの後段に、前記第２整合回路を接続したことを特徴とする。
【００１５】
第１０の発明は、誘電体基板上にパターンが形成された内蔵アンテナと、複数の周波数帯域で前記棒状アンテナと受信機とのインピーダンスを整合させる整合回路と、ＶＨＦ帯の信号を通過させるローパスフィルタと、ＵＨＦ帯の信号を通過させるハイパスフィルタと、前記内蔵アンテナの電気長を補正する電気長補正回路と、を備え、前記内蔵アンテナの給電点に、前記整合回路を接続し、前記整合回路の後段に、前記電気長補正回路及び前記ローパスフィルタを順に直列に接続し、さらに、前記整合回路の後段に、前記ハイパスフィルタを接続したことを特徴とする。
【発明の効果】
【００１６】
本発明によると、アンテナに整合回路及び電気長補正回路を設けることによって、既に携帯無線機に搭載されているアンテナ（例えば、ワンセグ用アンテナ）を使用してワンセグデジタル放送とモバイルマルチメディア放送とを受信できる携帯通信機を提供することができる。
【図面の簡単な説明】
【００１７】
【図１】本発明の実施の形態の携帯通信機用アンテナの一例を示す外観図である。
【図２】本発明の実施の形態の携帯通信機用アンテナの一例を示す外観図である。
【図３】本発明の実施の形態の携帯通信機用アンテナの一例を示す外観図である。
【図４】本発明の実施の形態の携帯通信機用アンテナの一例を示す外観図である。
【図５】本発明の実施の形態の携帯通信機用アンテナの一例を示す外観図である。
【図６】本発明の実施の形態の携帯通信機の高周波回路のフロントエンド部分の構成を示すブロック図である。
【図７】本発明の実施の形態の携帯通信機の高周波回路の別なフロントエンド部分の構成を示すブロック図である。
【図８】本発明の実施の形態の携帯通信機の高周波回路の別なフロントエンド部分の具体的な構成を示す回路図である。
【図９】図８に示すフロントエンド部の特性を示す図である。
【図１０】本発明の実施の形態の携帯通信機の高周波回路の別なフロントエンド部分の構成を示すブロック図である。
【発明を実施するための形態】
【００１８】
以下、本発明の実施の形態について図面を参照して説明する。
【００１９】
図１から図５は、本発明の実施の形態の携帯通信機用アンテナの一例を示す外観図である。
【００２０】
図１に示すように、携帯通信機１の本体上部には、通信に用いる周波数帯の棒状アンテナ２１が設けられている。この棒状アンテナ２１は、それ自体で一つの周波数に共振するように設計されている。
【００２１】
また、図２に示すように、携帯通信機１の本体上部に設けられるアンテナ２２は、エレメントの中間にコイルが設けられていてもよい。このコイルはチョークコイルとして機能し、特定の周波数でインピーダンスを高くすることによって、当該特定の周波数（例えば、ＵＨＦ帯）で、チョークコイルより下のエレメントが機能し、当該特定の周波数以外の周波数（例えば、ＶＨＦ帯）で、チョークコイルと上下のエレメントが機能する。このため、アンテナ２２は、それ自体で複数の周波数に共振するように設計されている。
【００２２】
また、図３に示すように、携帯通信機１の本体上部に設けられるアンテナ２３は、ほぼ全長がコイルによって構成されたヘリカルアンテナであってもよい。このヘリカルアンテナ２３は、途中でコイルの巻き方（ピッチ、径）を変えることによって、一つの周波数に共振するように設計されている。
【００２３】
また、図４に示すように、携帯通信機１の本体に設けられるアンテナ２４は、筐体内部に実装された内蔵アンテナであってもよい。この内蔵アンテナ２４は、誘電体基板上（又は、誘電体基板に挟まれた内層）に導体パターンが形成されたアンテナであって、それ自体で複数の周波数に共振するように設計することができる。
【００２４】
また、図５に示すように、携帯通信機１が二つの筐体がヒンジによって結合される携帯通信機（例えば、折畳型携帯電話機）である場合、上側筐体に内蔵される導体（導体パターン、金属板等）によるアンテナ２５Ａ及び下側筐体に内蔵される導体（導体パターン、金属板等）によるアンテナ２５Ｂによって形成された平衡アンテナであってもよい。このような平衡アンテナでは、複数のエレメントの組み合わせを変えることによって、それ自体で複数の周波数に共振するように設計することができる。
【００２５】
図６は、本発明の実施の形態の携帯通信機の高周波回路のフロントエンド部の構成を示すブロック図である。
【００２６】
なお、図６〜図１０に示すフロントエンド部に接続されるアンテナ２は、図１に示す棒状アンテナ２１、図２に示すチョークコイル付きアンテナ２２、図３に示すヘリカルアンテナ２３、図４に示す内蔵アンテナ２４、図５に示す蔵平衡アンテナ２５Ａ、２５Ｂのいずれであってもよい。
【００２７】
図６において、アンテナ２から出力された高周波信号は、ローパスフィルタ５及びハイパスフィルタ６に入力される。なお、ローパスフィルタ５、ハイパスフィルタ６ではなく、各々所望周波数帯の信号を通過させるバンドパスフィルタを用いてもよい。また、アンテナ２から出力された高周波信号を分配器によって、ローパスフィルタ５及びハイパスフィルタ６に分岐してもよい。
【００２８】
ローパスフィルタ５に入力された信号は、ＶＨＦ帯の放送を受信する際に妨害波となる信号（ＵＨＦ帯の放送波）が抑圧され、電気長補正回路４に入力される。電気長補正回路４は、ＶＨＦ受信機側から見たアンテナの電気長を長くするための回路であって、例えば、インダクタ（又は、インダクタとコンデンサによって構成される集中定数回路）である。電気長補正回路４から出力された信号は、整合回路３Ａに入力される。整合回路３Ａは、フロントエンド部のＶＨＦ帯におけるインピーダンスと、ＶＨＦ受信機側のインピーダンスとを整合させるもので、必要に応じて設けられればよい。その後、整合回路３Ａの出力は、モバイルマルチメディア放送（ＶＨＦ帯）の受信機に入力される。
【００２９】
一方、ハイパスフィルタ６に入力された信号は、ＵＨＦ帯の放送を受信する際に妨害波となる信号（ＶＨＦ帯の放送波）が抑圧され、整合回路３Ｂに入力される。整合回路３Ｂは、フロントエンド部のＵＨＦ帯におけるインピーダンスと、ＵＨＦ受信機側のインピーダンスとを整合させるもので、必要に応じて設けられればよい。その後、整合回路３Ｂの出力は、ワンセグデジタル放送（ＵＨＦ帯）の受信機に入力される。
【００３０】
なお、ローパスフィルタ５、ハイパスフィルタ６、電気長補正回路４、整合回路３Ａ、３ＢのいずれもＬＣ回路なので、二つ又は三つの回路を合成した一つのＬＣ回路によって構成してもよい。複数の回路を統合することによって、部品点数を低減し、回路損失を低減することができる。
【００３１】
図６に示す高周波回路のフロントエンド部では、ＶＨＦ帯の信号（モバイルマルチメディア放送波）と、ＵＨＦ帯の信号（ワンセグデジタル放送波）とを分別するフィルタ５、６を設けたので、妨害波の影響を低減しつつ各周波数帯でのＳ／Ｎ比を向上することができる。また、周波数帯毎に整合回路３Ａ、３Ｂを設けたので、各周波数帯に適する条件で受信機とアンテナとを整合させることができる。さらに、ＶＨＦ帯用の電気長補正回路４を設けたので、受信周波数の波長に対してアンテナの物理長が短くても、電気長を補うことができる。すなわち、アンテナがＵＨＦ帯に共振し、ＶＨＦ帯用のアンテナが設けられていないために、ＶＨＦ帯の信号をＵＨＦ帯用のアンテナで受信する場合や、ＶＨＦ帯のアンテナ長が受信周波数の波長に対して短い場合でも、アンテナをＶＨＦ帯の周波数にも整合させることができる。
【００３２】
図７は、本発明の実施の形態の携帯通信機の高周波回路の別なフロントエンド部の構成を示すブロック図である。
【００３３】
アンテナ２から出力された高周波信号は、２周波整合回路７に入力される。２周波整合回路７は、ＶＨＦ出力端子及びＵＨＦ出力端子とを備え、フロントエンド部のＶＨＦ帯におけるインピーダンスと、ＶＨＦ受信機側のインピーダンスとを整合させ、さらに、フロントエンド部のＵＨＦ帯におけるインピーダンスと、ＵＨＦ受信機側のインピーダンスとを整合させる。
【００３４】
２周波整合回路７のＶＨＦ出力端子から出力された高周波信号は、電気長補正回路４に入力される。電気長補正回路４は、ＶＨＦ受信機側から見たアンテナの電気長を長くするための回路であって、例えば、インダクタ（又は、インダクタとコンデンサによって構成される集中定数回路）である。電気長補正回路４から出力された信号は、ローパスフィルタ５に入力され、ＶＨＦ帯の放送を受信する際に妨害波となる信号（ＵＨＦ帯の放送波）が抑圧される。その後、ローパスフィルタ５の出力は、モバイルマルチメディア放送（ＶＨＦ帯）の受信機に入力される。
【００３５】
一方、２周波整合回路７のＵＨＦ出力端子から出力された高周波信号は、ハイパスフィルタ６に入力され、ＵＨＦ帯の放送を受信する際に妨害波となる信号（ＶＨＦ帯の放送波）が抑圧される。その後、ハイパスフィルタ６の出力は、ワンセグデジタル放送（ＵＨＦ帯）の受信機に入力される。
【００３６】
なお、ローパスフィルタ５、ハイパスフィルタ６ではなく、各々所望周波数帯の信号を通過させるバンドパスフィルタを用いてもよい。
【００３７】
なお、ローパスフィルタ５、ハイパスフィルタ６、電気長補正回路４、整合回路３Ａ、３ＢのいずれもＬＣ回路なので、二つ又は三つの回路を合成した一つのＬＣ回路によって構成してもよい。複数の回路を統合することによって、部品点数を低減し、回路損失を低減することができる。
【００３８】
図７に示す高周波回路のフロントエンド部では、ＶＨＦ帯（モバイルマルチメディア放送周波数帯）と、ＵＨＦ帯（ワンセグデジタル放送周波数帯）とに整合する整合回路７を設けたので、各周波数帯に適する条件で受信機とアンテナとを整合させることができる。また、ＶＨＦ帯の信号とＵＨＦ帯の信号とで不要波を抑圧するフィルタ５、６を設けたので、妨害波の影響を低減しつつ各周波数帯でのＳ／Ｎ比を向上することができる。さらに、ＶＨＦ帯用の電気長補正回路４を設けたので、受信周波数の波長に対してアンテナの物理長が短くても、電気長を補うことができる。すなわち、アンテナがＵＨＦ帯に共振し、ＶＨＦ帯用のアンテナが設けられていないために、ＶＨＦ帯の信号をＵＨＦ帯用のアンテナで受信する場合や、ＶＨＦ帯のアンテナ長が受信周波数の波長に対して短い場合でも、アンテナをＶＨＦ帯の周波数にも整合させることができる。
【００３９】
図８は、本発明の実施の形態の携帯通信機の高周波回路の別なフロントエンド部の具体的な構成を示す回路図である。
【００４０】
アンテナ２から出力された高周波信号は、整合回路８に入力される。整合回路８は、ＬＣ回路であって、フロントエンド部のインピーダンスと、受信機側のインピーダンスとを整合させる。
【００４１】
整合回路８から出力された高周波信号は、ローパスフィルタ５に入力され、ＶＨＦ帯の放送を受信する際に妨害波となる信号（ＵＨＦ帯の放送波）が抑圧される。ローパスフィルタ５は、ＬＣ回路（集中定数回路）によって構成される。その後、ローパスフィルタ５の出力は、モバイルマルチメディア放送（ＶＨＦ）の受信機に入力される。
【００４２】
なお、図８に示すフロントエンド部には、図７に示すフロントエンド部と異なり、独立した電気長補正回路が設けられていない。しかし、図８に示すフロントエンド部では、整合回路の初段のインダクタ（４２ｎＨ）が、アンテナ２の電気長を延長するように機能する。
【００４３】
一方、整合回路８から出力された高周波信号は、ハイパスフィルタ６に入力され、ＵＨＦ帯の放送を受信する際に妨害波となる信号（ＶＨＦ帯の放送波）が抑圧される。ハイパスフィルタ６は、ＬＣ回路（集中定数回路）によって構成される。その後、ハイパスフィルタ６の出力は、ワンセグデジタル放送（ＵＨＦ）の受信機に入力される。
【００４４】
図９に、本発明の実施の形態のフロントエンド部（図８）の特性のシミュレーション結果を示す。なお、アンテナ２は１５０ｍｍの棒状アンテナとして計算した。図９から分かるように、ＶＨＦ帯のモバイルマルチメディア放送帯域（２０７．５〜２２２ＭＨｚ）において良好なリターンロスが得られ、ワンセグデジタル放送帯域（４７０〜７７０ＭＨｚ）においても良好なリターンロスが得られる。このように、本発明の実施の形態によると、アンテナの数を増やすことなく、複数の周波数帯域において共振し、良好なアンテナ特性を得ることができる。
【００４５】
図１０は、本発明の実施の形態の携帯通信機の高周波回路の別なフロントエンド部の構成を示すブロック図である。
【００４６】
アンテナ２から出力された高周波信号は、ＶＨＦ回路９及びＵＨＦ回路１０に入力される。
【００４７】
ＶＨＦ回路９は、ローパスフィルタ、電気長補正回路及び整合回路の機能を合わせ持つ回路である。ＶＨＦ回路９における、ローパスフィルタ、電気長補正回路及び整合回路の配置順序は、前述した図６の様に、ローパスフィルタ、電気長補正回路、整合回路の順でも、前述した図７の様に、整合回路、電気長補正回路、ローパスフィルタの順であっても、前述した図８の様に、電気長補正回路、整合回路、ローパスフィルタの順でもよい。
【００４８】
また、ＵＨＦ回路１０は、ハイパスフィルタ及び整合回路の機能を合わせ持つ回路である。ＵＨＦ回路１０における、ハイパスフィルタ及び整合回路の配置順序は、前述した図６の様に、ローパスフィルタ、整合回路の順でも、前述した図７の様に、整合回路、ローパスフィルタの順でもよい。
【００４９】
図１０に示す高周波回路のフロントエンド部では、図６、図７で前述したフロントエンド部の効果に加え、ローパスフィルタ、電気長補正回路及び整合回路（又は、ローパスフィルタ及び整合回路）を一つの回路ユニットに構成したので、部品点数を低減することによって、携帯通信機の構成を簡素化することができる。またし、回路損失を低減することができる。
【００５０】
以上、携帯電話機に代表される携帯通信機のアンテナについて説明したが、通信機能を有さない携帯受信機（例えば、ワンセグデジタルテレビ放送と、モバイルマルチメディア放送とを受信可能なテレビ受像機）にも適用することができる。
【符号の説明】
【００５１】
１  携帯通信機
２  アンテナ
２１  棒状アンテナ
２２  アンテナ
２３  ヘリカルアンテナ
２４  内蔵アンテナ
３Ａ、３Ｂ  整合回路
４  電気長補正回路
５  ローパスフィルタ
６  ハイパスフィルタ
７  ２周波整合回路
８  整合回路
９  ＶＨＦ回路
１０  ＵＨＦ回路
【図１】
2010226579.tif 000003
【図２】
2010226579.tif 000004
【図３】
2010226579.tif 000005
【図４】
2010226579.tif 000006
【図５】
2010226579.tif 000007
【図６】
2010226579.tif 000008
【図７】
2010226579.tif 000009
【図８】
2010226579.tif 000010
【図９】
2010226579.tif 000011
【図１０】
2010226579.tif 000012